(57)【要約】【課題】外部アンテナを同軸ケーブルを介して電子部品が実装された基板に接続する第１の接続構造を実現する場合と、電子部品が実装された基板にチップアンテナを設ける第２の接続構造を実現する場合とで使用する電子部品実装基板を共通化し、また検査用スイッチ付きコネクタ及びプローブの使用を回避してコスト低減を達成する。【解決手段】接地用導電部２２１、２２２及び給電用導電部２３０を有するチップアンテナ２００を設けるためのハウジング１１０と、このハウジングに設けられ、チップアンテナの接地用導電部に導通する装着具側外部導体１２１とチップアンテナの給電用導電部に導通する装着具側中心導体１２２とを有する装着具側同軸コネクタ１２０とを備えたチップアンテナの装着具１００である。【選択図】図１
2008219437.tif 000002
【特許請求の範囲】
【請求項１】
接地用導電部及び給電用導電部を有するチップアンテナを設けるためのハウジングと、
このハウジングに設けられ、チップアンテナの接地用導電部に導通する装着具側外部導体とチップアンテナの給電用導電部に導通する装着具側中心導体とを有する装着具側同軸コネクタとを備えたチップアンテナの装着具。
【請求項２】
装着具側同軸コネクタとハウジングとが、装着具側同軸コネクタの嵌合方向とほぼ直交する方向に沿って並んで設けられている請求項１のチップアンテナの装着具。
【請求項３】
ハウジングにはチップアンテナが嵌入される収容部が設けられ、
ハウジングにおけるチップアンテナの接地用導電部に対応する部位には、装着具側外部導体に導通する接地用接触部が設けられ、
ハウジングにおけるチップアンテナの給電用導電部に対応する部位には、装着具側中心導体に導通する給電用接触部が設けられている請求項１又は請求項２のチップアンテナの装着具。
【請求項４】
絶縁部材と、この絶縁部材に組み付けられた導電部材とを備え、
上記絶縁部材は、底壁とこの底壁の周縁から装着具側同軸コネクタの嵌合方向と反対側に延びる側壁とを有して収容部を構成するハウジング側絶縁部材と、このハウジング側絶縁部材に設けられると共に装着具側外部導体と装着具側中心導体との間に設けられたコネクタ側絶縁部材とを備え、
上記導電部材は、収容部の外面を覆うように設けられると共に接地用接触部が設けられたハウジング側導電部材と、このハウジング側導電部材に設けられた装着具側外部導体とを備えている請求項３のチップアンテナの装着具。
【請求項５】
電子部品を実装するための基板と、
接地用導電部及び給電用導電部を有してこの基板に実装された電子部品と、
この電子部品の接地用導電部に接続された基板側外部導体と電子部品の給電用導電部に接続された基板側中心導体とを有して上記基板に設けられた基板側同軸コネクタとを備え、
請求項１ないし請求項４のうちいずれか一つのチップアンテナの装着具の装着具側同軸コネクタと、一端が外部アンテナの接地用導電部及び給電用導電部に接続された同軸ケーブルの他端に設けられた外部アンテナ側同軸コネクタとを選択的に基板側同軸コネクタに接続できるように構成された電子部品実装基板。
【請求項６】
基板上に、基板側同軸コネクタと電子部品とが並べて配置され、基板側同軸コネクタが、その嵌合方向が基板にほぼ直交し且つ基板から離れる方向となるように設けられている請求項５の電子部品実装基板。
【発明の詳細な説明】
【技術分野】
【０００１】
本発明は、接地用導電部及び給電用導電部を有して、電子部品に電気的に接続されるチップアンテナの技術分野に属する。
【背景技術】
【０００２】
特許文献１は、誘電体基体を備え、この誘電体基体の内部または表面に螺旋状の巻回導体を備えるとともに、上記誘電体基体の表面に、上記巻回導体に電圧を印加するための給電用端子を設けてなるチップアンテナを開示している。非特許文献１は、接地用導電部及び給電用導電部を有するチップアンテナを開示している。
【０００３】
【特許文献１】特開平８−３３５８２２号公報
【非特許文献１】平井正一郎、外５名、超小型チップアンテナ（２．４〜２．５ＧＨｚ帯）、古河電工時報  第１１２号（平成１５年７月）、第５０ページないし第５４ページ
【発明の開示】
【発明が解決しようとする課題】
【０００４】
基板に電子部品を実装し、この電子部品にアンテナを電気的に接続する場合、次の二つの接続構造が考えられる。第１の接続構造は、上記基板に電子部品側同軸コネクタをハンダ付けなどにより実装し、この同軸コネクタを電子部品に電気的に接続しておき、上記基板とは別の基板に実装したチップアンテナ又は上記基板とは別に用意したアンテナなどをレイアウトの自由度の高い外部アンテナとして用意し、一端がこの外部アンテナに接続された同軸ケーブルの他端に設けられた外部アンテナ側同軸コネクタを、上記基板の電子部品側同軸コネクタに嵌合するという構成である。第２の接続構造は、上記基板にチップアンテナを実装し、このチップアンテナを電子部品に電気的に接続するという構成である。
【０００５】
基板に電子部品を実装してなる電子部品実装基板で、電子部品が所期の機能を発揮するかどうかの検査を行う場合、上記第１の接続構造では基板の電子部品側同軸コネクタに、検査機器から延びる同軸ケーブルの終端に設けられた同軸コネクタを接続し、これによって検査を行うことが考えられる。一方、上記第２の接続構造では、このような検査機器の接続を可能とするため、電子部品実装基板が本来の機能を発揮する常態では電子部品をチップアンテナに接続しておき、検査時にはこれらの接続関係を断ち切ると共に、検査機器から延びる同軸ケーブルの終端に設けられたコネクタを電子部品に接続するように構成する必要がある。それには例えば、次の構造を採用することが考えられる。すなわち、基板に、双極双投２回路２接点のスイッチと同軸コネクタとを組み合わせてなる検査用スイッチ付きコネクタを実装し、このスイッチの一対の可動片側接点を電子部品の接地用導電部及び給電用導電部にそれぞれ接続し、スイッチの一対の第１接点をチップアンテナの接地用導電部及び給電用導電部にそれぞれ接続しておく。スイッチの一対の第２接点は検査用スイッチ付きコネクタの外部導体及び中心導体にそれぞれ接続されており、常態ではスイッチの一対の可動片は一対の第１接点にそれぞれ接触し且つ一対の第２接点からそれぞれ離れており、検査時に検査機器から延びる同軸ケーブルの終端に設けられた相手側コネクタが接続すると、これに押されてスイッチの一対の可動片は一対の第１接点からそれぞれ離れ且つ一対の第２接点にそれぞれ接触するようになっている。そうすると、常態ではスイッチの一対の可動片がバネ力などにより、いずれも一対の第１接点にそれぞれ接触し且つ一対の第２接点からそれぞれ離れるため、電子部品がチップアンテナに接続する。そして、検査時に相手側コネクタを検査用スイッチ付きコネクタに接続すると、スイッチの一対の可動片が一対の第１接点からそれぞれ離れ且つ一対の第２接点にそれぞれ接触するために電子部品が検査機器に接続し、これによって検査を行うことができる。
【０００６】
しかし、このようにすると、第１の接続構造と第２の接続構造では、使用する基板のパターンが異なるため、互換性がなく基板を共通化することができない。しかも、第２の接続構造では、電子部品実装基板に、単なる同軸コネクタではなく構造が複雑な検査用スイッチ付きコネクタを実装する上、検査機器の相手側コネクタには単なる同軸コネクタではなく、接続時に検査用スイッチ付きコネクタの可動片を押す機能も併せ有するプローブを設けなければならない。そのため、さらにコストが高くなる。
【０００７】
本発明は、このような点に着目してなされたものであり、その目的とするところは、電子部品実装基板に、スイッチなどが付いていない単純な構造の同軸コネクタを実装することで上記第１の接続構造を実現するようにしておき、第２の接続構造は、チップアンテナを電子部品実装基板に実装するのではなくチップアンテナに設けた同軸コネクタを電子部品実装基板の同軸コネクタに嵌合することで実現し、これによって第１の接続構造と第２の接続構造で使用する基板を共通化し、また検査用スイッチ付きコネクタ及びプローブの使用を回避してコスト低減を達成することにある。
【課題を解決するための手段】
【０００８】
本発明のチップアンテナの装着具は、接地用導電部及び給電用導電部を有するチップアンテナを設けるためのハウジングと、このハウジングに設けられ、チップアンテナの接地用導電部に導通する装着具側外部導体とチップアンテナの給電用導電部に導通する装着具側中心導体とを有する装着具側同軸コネクタとを備えている。
【０００９】
電子部品を実装した基板に、スイッチなどが付いていない単純な構造の同軸コネクタを実装し、この基板側同軸コネクタを電子部品に電気的に接続しておく。そして、本発明の装着具のハウジングにチップアンテナを設け、このチップアンテナ付き装着具の装着具側同軸コネクタを電子部品実装基板の基板側同軸コネクタに嵌合すると、電子部品実装基板にチップアンテナを実装する場合と同様に第２の接続構造が実現する。
【００１０】
また、上記基板とは別の基板に実装したチップアンテナ又は上記基板とは別に用意したアンテナなどをレイアウトの自由度の高い外部アンテナとして用意し、一端がこの外部アンテナに接続された同軸ケーブルの他端に設けられた外部アンテナ側同軸コネクタを、上記電子部品実装基板の基板側同軸コネクタに嵌合すると、上記第１の接続構造が実現する。
【００１１】
その場合、第１の接続構造を実現する場合でも第２の接続構造を実現する場合でも、使用する電子部品実装基板が共通である。また検査用スイッチ付きコネクタ及びプローブを使用しない。そのため、先に提案した技術に較べるとコスト低減が達成される。
【００１２】
本発明のチップアンテナの装着具は、装着具側同軸コネクタとハウジングとが、装着具側同軸コネクタの嵌合方向とほぼ直交する方向に沿って並んで設けられていてもよい。
【００１３】
このようにすれば、基板上に基板側同軸コネクタと電子部品とを並べて配置し、基板側同軸コネクタを、その嵌合方向が基板にほぼ直交し且つ基板から離れる方向となるように設けて電子部品実装基板を構成した場合、チップアンテナ付き装着具を基板に向かって押し込むことで同軸コネクタ同士が嵌合する。そして、ハウジングに装着具側同軸コネクタを積み上げた場合などに較べると、低背化、薄型化が促進される。
【００１４】
本発明のチップアンテナの装着具は、ハウジングにはチップアンテナが嵌入される収容部が設けられ、ハウジングにおけるチップアンテナの接地用導電部に対応する部位には、装着具側外部導体に導通する接地用接触部が設けられ、ハウジングにおけるチップアンテナの給電用導電部に対応する部位には、装着具側中心導体に導通する給電用接触部が設けられていてもよい。
【００１５】
このようにすれば、チップアンテナを収容部に嵌入すると、チップアンテナの接地用導電部が接地用接触部を介して装着具側外部導体に接触し、チップアンテナの給電用導電部が給電用接触部を介して装着具側中心導体に接触する。そのため、ハンダ付けなどの作業が不要となり、作業性がよい。
【００１６】
本発明のチップアンテナの装着具は、絶縁部材と、この絶縁部材に組み付けられた導電部材とを備え、上記絶縁部材は、底壁とこの底壁の周縁から装着具側同軸コネクタの嵌合方向と反対側に延びる側壁とを有して収容部を構成するハウジング側絶縁部材と、このハウジング側絶縁部材に設けられると共に装着具側外部導体と装着具側中心導体との間に設けられたコネクタ側絶縁部材とを備え、上記導電部材は、収容部の外面を覆うように設けられると共に接地用接触部が設けられたハウジング側導電部材と、このハウジング側導電部材に設けられた装着具側外部導体とを備えていてもよい。
【００１７】
このようにすれば、絶縁部材、導電部材、装着具側中心導体、及び給電用接触部を組み付ければチップアンテナの装着具が完成するので、作業性がよい。
【００１８】
また、本発明の電子部品実装基板は、電子部品を実装するための基板と、接地用導電部及び給電用導電部を有してこの基板に実装された電子部品と、この電子部品の接地用導電部に接続された基板側外部導体と電子部品の給電用導電部に接続された基板側中心導体とを有して上記基板に設けられた基板側同軸コネクタとを備え、本発明のチップアンテナの装着具の装着具側同軸コネクタと、一端が外部アンテナの接地用導電部及び給電用導電部に接続された同軸ケーブルの他端に設けられた外部アンテナ側同軸コネクタとを選択的に基板側同軸コネクタに接続できるように構成されている。
【００１９】
本発明の装着具のハウジングにチップアンテナを設け、このチップアンテナ付き装着具の装着具側同軸コネクタを本発明の電子部品実装基板の基板側同軸コネクタに嵌合すると、電子部品実装基板にチップアンテナを実装する場合と同様に第２の接続構造が実現する。
【００２０】
また、本発明の電子部品実装基板とは別の基板に実装したチップアンテナ又は本発明の電子部品実装基板とは別に用意したアンテナなどをレイアウトの自由度の高い外部アンテナとして用意し、一端がこの外部アンテナに接続された同軸ケーブルの他端に設けられた外部アンテナ側同軸コネクタを、本発明の電子部品実装基板の基板側同軸コネクタに嵌合すると、上記第１の接続構造が実現する。
【００２１】
その場合、第１の接続構造を実現する場合でも第２の接続構造を実現する場合でも、使用する電子部品実装基板が共通である。また検査用スイッチ付きコネクタ及びプローブを使用しない。そのため、先に提案した技術に較べるとコスト低減が達成される。
【００２２】
本発明の電子部品実装基板は、基板上に、基板側同軸コネクタと電子部品とが並べて配置され、基板側同軸コネクタが、その嵌合方向が基板にほぼ直交し且つ基板から離れる方向となるように設けられていてもよい。
【００２３】
このようにすれば、装着具側同軸コネクタとハウジングとを、装着具側同軸コネクタの嵌合方向とほぼ直交する方向に沿って並んで設けて装着具を構成した場合、チップアンテナ付き装着具を基板に向かって押し込むことで同軸コネクタ同士が嵌合する。そして、電子部品に基板側同軸コネクタを積み上げた場合などに較べると、全体的に低背化、薄型化が促進される。
【発明の効果】
【００２４】
本発明のチップアンテナの装着具を使用すると、外部アンテナを同軸ケーブルを介して電子部品が実装された基板に接続する第１の接続構造を実現する場合と、電子部品が実装された基板にチップアンテナを設ける第２の接続構造を実現する場合とで使用する電子部品実装基板を共通にでき、また検査用スイッチ付きコネクタ及びプローブを使用しなくてもよくなり、第２の接続構造を実現するために検査用スイッチ付きコネクタを用いる場合に較べるとコスト低減を達成することができる。
【００２５】
装着具側同軸コネクタとハウジングとを、装着具側同軸コネクタの嵌合方向とほぼ直交する方向に沿って並べて設けたときには、ハウジングに装着具側同軸コネクタを積み上げた場合などに較べると、低背化、薄型化が促進される。
【００２６】
ハウジングにチップアンテナが嵌入される収容部を設け、ハウジングに接地用接触部及び給電用接触部を設けたときには、チップアンテナを収容部に嵌入すればチップアンテナを装着具に取り付けることができるので、ハンダ付けなどの作業が不要となり、作業性がよい。
【００２７】
この装着具を、絶縁部材と、これに組み付けられた導電部材とにより構成し、上記絶縁部材を、底壁とこの底壁の周縁から装着具側同軸コネクタの嵌合方向と反対側に延びる側壁とを有して収容部を構成するハウジング側絶縁部材と、このハウジング側絶縁部材に設けられると共に装着具側外部導体と装着具側中心導体との間に設けられたコネクタ側絶縁部材とで構成し、上記導電部材を、収容部の外面を覆うように設けられると共に接地用接触部が設けられたハウジング側導電部材と、このハウジング側導電部材に設けられた装着具側外部導体とで構成したときには、絶縁部材、導電部材、装着具側中心導体、及び給電用接触部を組み付ければチップアンテナの装着具が完成するので、作業性がよい。
【００２８】
また、本発明の電子部品実装基板は本発明のチップアンテナの装着具と共に使用する基板として好適である。
【００２９】
基板上に、基板側同軸コネクタと電子部品とを並べて配置し、基板側同軸コネクタを、その嵌合方向が基板にほぼ直交し且つ基板から離れる方向となるように設ければ、電子部品に基板側同軸コネクタを積み上げた場合などに較べると、全体的に低背化、薄型化が促進される。
【発明を実施するための最良の形態】
【００３０】
以下、本発明の実施の形態を説明する。図１ないし図５に、本発明のチップアンテナの装着具１００を示す。また、図１、図２、図１１ないし図１３に、上記装着具１００に嵌入されるチップアンテナ２００の一つの実施形態を示す。
【００３１】
この装着具１００は、チップアンテナ２００を設けるためのハウジング１１０と、このハウジング１１０に設けられた装着具側同軸コネクタ１２０とを備えている。この実施形態では、ハウジング１１０は、これに嵌入されたチップアンテナ２００を保持するように構成されている。しかし、ハウジングは、これにチップアンテナがハンダ付け又はその他の方法により固定されるように構成してもよい。この実施形態では、装着具側同軸コネクタ１２０はハウジング１１０に一体的に設けられている。しかし、装着具側同軸コネクタをハウジングと別部材とし、ハウジングにハンダ付け又はその他の方法により固定するようにしてもよい。
【００３２】
図１１ないし図１３に示すように、チップアンテナ２００は、誘電体である本体２１０と、この本体２１０の内部に設けられた巻回導体（図示省略）と、上記本体２１０に設けられた接地用導電部２２１、２２２と、上記本体２１０の表面に設けられ、上記巻回導体に電圧を印加するための給電用導電部２３０とを備えている。この実施形態のチップアンテナ２００は、ほぼ直方体形の本体２１０の底面付近における一方の短辺から接地用導電部２２１と給電用導電部２３０とを突出させて設け、他方の短辺から他の接地用導電部２２２を突出させて設けている。しかし、これによってチップアンテナ２００の構成、形状、端子の配置が限定解釈されるものではなく、本発明の対象とするチップアンテナは、誘電体である本体と、その内部に設けられた巻回導体又はその他の導体と、この巻回導体又はその他の導体に電圧を印加するための給電用導電部と、接地用導電部とを備えておればよい。
【００３３】
装着具側同軸コネクタ１２０は、チップアンテナ２００の接地用導電部２２１、２２２に導通する装着具側外部導体１２１とチップアンテナ２００の給電用導電部２３０に導通する装着具側中心導体１２２とを備えている。図５及び図８に示すように、装着具側外部導体１２１は、導電性の材料により形成され、ほぼ中空円筒形に形成されている。そして、相手側の同軸コネクタにおけるほぼ中空円筒形の外部導体が嵌るようになっている。図５及び図１０に示すように、装着具側中心導体１２２は、導電性の材料により形成され、装着具側外部導体１２１のほぼ円筒形の中心軸付近に設けられている。そして、相手側の同軸コネクタの中心導体が嵌るようになっている。装着具側中心導体１２２は、装着具側外部導体１２１の中心軸の半径方向にみてほぼＵ字形に形成されており、相手側の同軸コネクタのピン形の中心導体が嵌るようになっている。装着具側中心導体をピン形とし、相手側の同軸コネクタの中心導体をほぼＵ字形に形成してもよい。装着具側外部導体１２１及び装着具側中心導体１２２の嵌合方向は、上記中心軸に沿って開放側に向かう方向である。
【００３４】
装着具側同軸コネクタ１２０とハウジング１１０とは、装着具側同軸コネクタ１２０の嵌合方向とほぼ直交する方向に沿って並んで設けられている。この実施形態の場合、装着具側同軸コネクタ１２０とハウジング１１０とは、装着具側外部導体１２１の中心軸の半径方向に沿って並んでいる。
【００３５】
ハウジング１１０には、チップアンテナ２００の形状に応じて凹みが設けられ、この凹みを囲む壁が、チップアンテナ２００が嵌入される収容部１１１を構成している。図１ないし図５に示すように、ハウジング１１０におけるチップアンテナ２００の接地用導電部２２１、２２２に対応する部位には、導電性の材料で形成され、装着具側外部導体１２１に導通する接地用接触部１１４、１１５が設けられている。この接地用接触部１１４、１１５は、後述するハウジング側導電部材１１３を介して装着具側外部導体１２１に一体的に設けられている。しかし、これらを別部材として接触させ又は接続してもよい。また、ハウジング１１０におけるチップアンテナ２００の給電用導電部２３０に対応する部位には、導電性の材料で形成され、装着具側中心導体１２２に導通する給電用接触部１２３が設けられている。この給電用接触部１２３は、上記装着具側中心導体１２２に一体的に設けられている。しかし、これらを別部材として接触させ又は接続してもよい。
【００３６】
上記装着具１００は、図７に示す絶縁部材と、図９に示す導電部材とを備えている。この導電部材は絶縁部材に組み付けられている。この絶縁部材は、収容部１１１を構成するハウジング側絶縁部材１１２と、このハウジング側絶縁部材１１２に設けられたコネクタ側絶縁部材１２４とを備えている。ハウジング側絶縁部材１１２は、底壁１１２ａと、この底壁１１２ａの周縁から装着具側同軸コネクタ１２０の嵌合方向と反対側に延びる側壁１１２ｂとを有している。コネクタ側絶縁部材１２４は、装着具側外部導体１２１と、装着具側中心導体１２２との間に設けられている。図６に示すように、コネクタ側絶縁部材１２４は、ほぼ円柱形に形成されており、この外側に装着具側外部導体１２１が嵌合する。また、コネクタ側絶縁部材１２４の中心部分には円柱の軸方向に貫通する貫通孔１２４ａが設けられ、この貫通孔１２４ａに装着具側中心導体１２２が嵌合する。コネクタ側絶縁部材１２４に隣接するハウジング側絶縁部材１１２の側壁の端縁からコネクタ側絶縁部材１２４の貫通孔１２４ａまで溝１２４ｂが形成されており、ここに給電用接触部１２３が先端を残して収容されると、給電用接触部１２３の先端が収容部１１１の内部へ突出するようになっている。コネクタ側絶縁部材１２４には、貫通孔１２４ａ及び上記溝１２４ｂを覆うキャップ１２４ｃが設けられている。また、図８及び図９に示すように、上記導電部材は、収容部１１１の外面を覆うように設けられたハウジング側導電部材１１３と、このハウジング側導電部材１１３に設けられた装着具側外部導体１２１とを備えている。ハウジング側導電部材１１３は収容部１１１を囲むようにほぼ四角形の枠体状に形成されており、その対向する二つの短辺には内側に向かって接触片が設けられ、これらが接地用接触部１１４、１１５を構成している。装着具側外部導体１２１には、嵌合用の開口と反対側の開口を閉じるキャップ１２１ａが設けられている。
【００３７】
図１４は、実施形態のチップアンテナ２００を実施形態の装着具１００に組み付ける手順の一つを示す。まず、図１４（ａ）に示した４部材のうち、絶縁部材に装着具側中心導体１２２及び給電用接触部１２３を構成する部材を装着する。すなわち、コネクタ側絶縁部材１２４の貫通孔１２４ａに装着具側中心導体１２２を嵌め且つ溝１２４ｂに給電用接触部１２３を嵌め（図１４（ｂ））、キャップ１２４ｃを閉じる（図１４（ｃ））。次いで、絶縁部材に導電部材を嵌めることで絶縁部材に導電部材を組み付け（図１４（ｄ））、装着具側外部導体１２１のキャップ１２１ａを折り曲げて閉じ（図１４（ｅ））、装着具側外部導体１２１を絶縁部材にかしめ（図１４（ｆ））、チップアンテナ２００を収容部１１１に嵌入し（図１４（ｇ））、これで作業が終了する。図１５は、実施形態のチップアンテナ２００を実施形態の装着具１００に組み付ける他の手順の一つを示す。まず、図１５（ａ）に示した４部材のうち、絶縁部材に導電部材を嵌めることで絶縁部材に導電部材を組み付け（図１５（ｂ））、チップアンテナ２００を収容部１１１に嵌入する（図１５（ｃ））。次いで、図１４の場合と同様にして絶縁部材に装着具側中心導体１２２及び給電用接触部１２３を構成する部材を装着し（図１５（ｄ））、コネクタ側絶縁部材１２４のキャップ１２４ｃを閉じ（図１５（ｅ））、装着具側外部導体１２１のキャップ１２１ａを折り曲げて閉じ（図１５（ｆ））、装着具側外部導体１２１を絶縁部材にかしめ（図１５（ｇ））、これで作業が終了する。
【００３８】
次に、本発明の電子部品実装基板３００の実施形態を図１６ないし図２０に示す。この電子部品実装基板３００は、公知のプリント配線板又はその他の基板３１０と、この基板３１０に実装された電子部品３２０と、上記基板３１０に設けられた基板側同軸コネクタ３３０とを備えている。この基板３１０は板状の絶縁部材と、これに設けられたパターンとを有している。この実施形態ではパターンは絶縁部材の表面に設けられるが、内部に設けてもよい。基板は立体的な形状であってもよい。この実施形態では電子部品３２０は半導体メモリであるが、ＩＣ又はその他の電子部品であってもよい。電子部品３２０は、接地用導電部及び給電用導電部を有してこの基板３１０に実装されている。基板側同軸コネクタ３３０は、上記電子部品３２０の接地用導電部に接続された基板側外部導体３３１と、電子部品３２０の給電用導電部に接続された基板側中心導体３３２とを有して上記基板に実装されている。この基板側同軸コネクタ３３０は、スイッチなどが付いていない単純な構造の公知の同軸コネクタである。この実施形態では、これらの接続をパターンを介して行っているが、結線により行ってもよい。基板側外部導体３３１は、導電性の材料により形成され、ほぼ中空円筒形に形成されている。そして、装着具側同軸コネクタ１２０におけるほぼ中空円筒形の装着具側外部導体１２１と、相手側の同軸コネクタとして後述する外部アンテナ側同軸コネクタ４４０におけるほぼ中空円筒形の外部導体とのいずれもが嵌合できるようになっている。また、基板側中心導体３３２は、導電性の材料により形成され、基板側外部導体３３１のほぼ円筒形の中心軸付近に設けられている。そして、装着具側同軸コネクタ１２０におけるほぼＵ字形の装着具側中心導体１２２と、相手側の同軸コネクタとして後述する外部アンテナ側同軸コネクタ４４０におけるほぼＵ字形の中心導体とのいずれもが嵌合できるようになっている。この実施形態の基板側中心導体３３２はピン形であるが、相手側同軸コネクタの中心導体がピン形であるときは、例えばほぼＵ字形に形成することになる。
【００３９】
そして、図１６ないし図２０に示すように、電子部品実装基板３００は、公知のプリント配線板又はその他の基板よりなる親基板５００に実装されている。しかし、これによって電子部品実装基板が設けられる相手部材が限定解釈されるものではない。図１９及び図２０には、外部アンテナ４００が示されている。この外部アンテナ４００は、電子部品実装基板３００から離れて配置することが可能であり、レイアウトの自由度が高い。この外部アンテナ４００は、電子部品実装基板３００とも親基板５００とも別である公知のプリント配線板又はその他の基板よりなる外部基板４１０と、この外部基板４１０に実装されたチップアンテナ４２０とを備えている。このチップアンテナ４２０は、先のチップアンテナ２００と同様の構成であり、誘電体である本体と、この本体の内部に設けられた巻回導体（図示省略）と、上記本体に設けられた接地用導電部と、上記本体の表面に設けられ、上記巻回導体に電圧を印加するための給電用導電部とを備えている。このチップアンテナは、誘電体である本体と、その内部に設けられた巻回導体又はその他の導体と、この巻回導体又はその他の導体に電圧を印加するための給電用導電部と、接地用導電部とを備えておればよい。そして、この外部アンテナ４００に同軸ケーブル４３０が接続されている。この同軸ケーブル４３０の一端は外部アンテナ４００の接地用導電部及び給電用導電部に接続されている。すなわち、チップアンテナ４２０の接地用導電部に同軸ケーブル４３０のシールド線が接続され、チップアンテナ４２０の給電用導電部に同軸ケーブル４３０の信号線が接続されている。この実施形態では、外部基板４１０に公知の同軸コネクタが外部基板側同軸コネクタとして実装され、この外部基板側同軸コネクタが外部基板４１０のパターンを介してチップアンテナ４２０の接地用導電部及び給電用導電部に接続されており、この外部基板側同軸コネクタに、同軸ケーブル４３０の一端に設けた同軸コネクタが接続されている。そして、この同軸ケーブル４３０の他端には公知の同軸コネクタが、外部アンテナ側同軸コネクタ４４０として接続されている。この場合、同軸ケーブルの一端を外部基板のパターンに直付けしてもよい。外部アンテナ側同軸コネクタ４４０の構成は、装着具側同軸コネクタ１２０と同様の構成であり、基板側同軸コネクタ３３０に接続できるようになっている。
【００４０】
そして、装着具１００の装着具側同軸コネクタ１２０と外部アンテナ側同軸コネクタ４４０とを選択的に基板側同軸コネクタ３３０に接続できるように構成されている。図１６ないし図２０に示すように、この実施形態では、電子部品実装基板３００の基板側同軸コネクタ３３０に対し、装着具側同軸コネクタ１２０と外部アンテナ側同軸コネクタ４４０のいずれもが接続可能に構成されている。しかも、電子部品実装基板３００の基板３１０の表面側における基板側同軸コネクタ３３０に隣接する部位には、チップアンテナ付き装着具１００を配置できるだけの大きさの収容空間３１１が確保されている。また、外部アンテナ側同軸コネクタ４４０から延びる同軸ケーブル４３０がこの収容空間３１１を通過するときには収容空間３１１は同軸ケーブル４３０を配置できるだけの大きさであることが求められる。同軸ケーブル４３０が収容空間３１１ではなく、他の同軸ケーブル用空間を通るときには、それに見あった大きさの同軸ケーブル用空間を確保する必要がある。なお、外部アンテナには、チップコネクタを用いた外部アンテナだけではなく、他の公知のアンテナを用いた外部アンテナが含まれる。その場合、外部アンテナ側同軸コネクタは、一端が外部アンテナの接地用導電部及び給電用導電部に接続された同軸ケーブルの他端に設けられた同軸ケーブルであって、基板側同軸コネクタ３３０に接続できる構成のものであればよい。
【００４１】
上記電子部品実装基板３００では、基板３１０の上に、基板側同軸コネクタ３３０と、電子部品３２０とが並べて配置されている。また、基板側同軸コネクタ３３０が、その嵌合方向が基板３１０にほぼ直交し且つ基板３１０から離れる方向となるように設けられている。
【００４２】
従って、上記実施形態の装着具１００のハウジング１１０にチップアンテナ２００を嵌入し、このチップアンテナ付き装着具１００の装着具側同軸コネクタ１２０を電子部品実装基板３００の基板側同軸コネクタ３３０に嵌合すると、電子部品実装基板３００にチップアンテナをハンダ付けなどにより実装する場合と同様に第２の接続構造が実現する（図１６から図１８へ）。
【００４３】
また、外部アンテナ４００の外部アンテナ側同軸コネクタ４４０を、上記電子部品実装基板３００の基板側同軸コネクタ３３０に嵌合すると、上記第１の接続構造が実現する（図１９から図２０へ）。これは他の公知のアンテナを用いた外部アンテナからの同軸ケーブルの場合でも同様である。
【００４４】
その場合、第１の接続構造を実現する場合でも第２の接続構造を実現する場合でも、使用する電子部品実装基板３００が共通である。また検査用スイッチ付きコネクタ及びプローブを使用しない。そのため、先に提案した技術に較べるとコスト低減が達成される。
【００４５】
本発明のチップアンテナの装着具は、ハウジングに装着具側同軸コネクタが設けられておればよく、ハウジングと装着具側同軸コネクタとの相対位置を限定するものではない。しかし、実施形態のチップアンテナの装着具１００は、装着具側同軸コネクタ１２０とハウジング１１０とが、装着具側同軸コネクタ１２０の嵌合方向とほぼ直交する方向に沿って並んで設けられている。このようにすれば、上記実施形態で例示したように基板３１０上に基板側同軸コネクタ３３０と電子部品３２０とを並べて配置し、基板側同軸コネクタ３３０を、その嵌合方向が基板３１０にほぼ直交し且つ基板３１０から離れる方向となるように設けて電子部品実装基板３００を構成した場合、チップアンテナ付き装着具１００を基板３１０に向かって押し込むことで同軸コネクタ同士が嵌合する。そして、ハウジングに装着具側同軸コネクタを積み上げた場合などに較べると、低背化、薄型化が促進される。
【００４６】
本発明のチップアンテナの装着具は、ハウジングにチップアンテナを実装し又はその他の公知の方法で固定してもよい。しかし、実施形態のチップアンテナの装着具１００は、ハウジング１１０にチップアンテナ２００が嵌入される収容部１１１を設け、ハウジング１１０におけるチップアンテナ２００の接地用導電部２２１、２２２に対応する部位に、装着具側外部導体１２１に導通する接地用接触部１１４、１１５を設け、ハウジング１１０におけるチップアンテナ２００の給電用導電部２３０に対応する部位に、装着具側中心導体１２２に導通する給電用接触部１２３を設けた。このようにすれば、チップアンテナ２００を収容部１１１に嵌入すると、チップアンテナ２００の接地用導電部２２１、２２２が接地用接触部１１４、１１５を介して装着具側外部導体１２１に接触し、チップアンテナ２００の給電用導電部２３０が給電用接触部１２３を介して装着具側中心導体１２２に接触する。そのため、ハンダ付けなどの作業が不要となり、作業性がよい。
【００４７】
本発明のチップアンテナの装着具は、例えばハウジングの構成部材、装着具側同軸コネクタの構成部材を別々に設け、これらを組み付けることで製造してもよい。しかし、実施形態のチップアンテナの装着具１００は、絶縁部材と、この絶縁部材に組み付けられた導電部材とを備え、上記絶縁部材は、底壁１１２ａとこの底壁１１２ａの周縁から装着具側同軸コネクタ１２０の嵌合方向と反対側に延びる側壁１１２ｂとを有して収容部１１１を構成するハウジング側絶縁部材１１２と、このハウジング側絶縁部材１１２に設けられると共に装着具側外部導体１２１と装着具側中心導体１２２との間に設けられたコネクタ側絶縁部材１２４とを備え、上記導電部材は、収容部１１１の外面を覆うように設けられると共に接地用接触部１１４、１１５が設けられたハウジング側導電部材１１３と、このハウジング側導電部材１１３に設けられた装着具側外部導体１２１とを備えている。このようにすれば、絶縁部材と、導電部材と、装着具側中心導体１２２及び給電用接触部１２３を構成する部材とを組み付ければチップアンテナの装着具１００が完成するので、作業性がよい。本発明は装着具側中心導体と給電用接触部とを別部品にした実施形態を含み、その場合であっても、絶縁部材と、導電部材と、装着具側中心導体と、給電用接触部とを組み付ければチップアンテナの装着具が完成するので、作業性がよい。
【００４８】
本発明の電子部品実装基板は、基板と、電子部品と、基板側同軸コネクタとを備えておればよく、これら各部材の相対位置を限定するものではない。しかし、実施形態の電子部品実装基板３００は、基板３１０の上に、基板側同軸コネクタ３３０と電子部品３２０とが並べて配置され、基板側同軸コネクタ３３０が、その嵌合方向が基板３１０にほぼ直交し且つ基板３１０から離れる方向となるように設けられている。このようにすれば、上記実施形態で例示したように装着具側同軸コネクタ１２０とハウジング１１０とを、装着具側同軸コネクタ１２０の嵌合方向とほぼ直交する方向に沿って並んで設けて装着具１００を構成した場合、チップアンテナ付き装着具１００を基板３１０に向かって押し込むことで同軸コネクタ同士が嵌合する。そして、電子部品に基板側同軸コネクタを積み上げた場合などに較べると、全体的に低背化、薄型化が促進される。
【００４９】
本発明は、以上の実施形態の特徴を組み合わせた実施形態を含んでいる。さらに、以上の実施形態は本発明のチップコネクタの装着具及び電子部品実装基板のいくつかの例を示したに過ぎない。したがって、これらの実施形態の記載によって本発明のチップアンテナの装着具及び電子部品組立体が限定解釈されるものではない。
【図面の簡単な説明】
【００５０】
【図１】実施形態の装着具と、実施形態のチップアンテナとを分離して示す斜視図である。
【図２】実施形態のチップアンテナを実施形態の装着具に嵌入して示した斜視図である。
【図３】実施形態の装着具の平面図である。
【図４】実施形態の装着具の正面図である。
【図５】実施形態の装着具の底面図である。
【図６】実施形態の装着具を構成する絶縁部材の斜視図である。キャップは開いている。
【図７】実施形態の装着具を構成する絶縁部材の斜視図である。キャップは閉じている。
【図８】実施形態の装着具を構成する導電部材の斜視図である。キャップは開いている。
【図９】実施形態の装着具を構成する導電部材の斜視図である。キャップは閉じている。
【図１０】実施形態の装着具の装着具側中心導体及び給電用接触部を構成する部材を示す斜視図である。
【図１１】実施形態のチップアンテナの平面図である。
【図１２】実施形態のチップアンテナの正面図である。
【図１３】実施形態のチップアンテナの底面図である。
【図１４】実施形態のチップアンテナを実施形態の装着具に組み付ける手順の一つを示した縮小斜視図である。
【図１５】実施形態のチップアンテナを実施形態の装着具に組み付ける他の手順の一つを示した縮小斜視図である。
【図１６】親基板に実装された電子部品実装基板に、チップアンテナを嵌入した装着具を装着するところを示す斜視図である。
【図１７】図１６における基板側同軸コネクタの付近を拡大して示す斜視図である。
【図１８】親基板に実装された電子部品実装基板に、チップアンテナを嵌入した装着具を装着したところを示す斜視図である。
【図１９】親基板に実装された電子部品実装基板と、外部アンテナと、同軸ケーブルとを分離して示す斜視図である。
【図２０】親基板に実装された電子部品実装基板と外部アンテナとを、同軸ケーブルにより接続したときを示す斜視図である。
【符号の説明】
【００５１】
１００  装着具
１１０  ハウジング
１１１  収容部
１１２  ハウジング側絶縁部材
１１２ａ  底壁
１１２ｂ  側壁
１１３  ハウジング側導電部材
１１４  接地用接触部
１１５  接地用接触部
１２０  装着具側同軸コネクタ
１２１  装着具側外部導体
１２２  装着具側中心導体
１２３  給電用接触部
１２４  コネクタ側絶縁部材
２００  チップアンテナ
２１０  本体
２２１  接地用導電部
２２２  接地用導電部
２３０  給電用導電部
３００  電子部品実装基板
３１０  基板
３２０  電子部品
３３０  基板側同軸コネクタ
３３１  基板側外部導体
３３２  基板側中心導体
４００  外部アンテナ
４１０  外部基板
４２０  チップアンテナ
４３０  同軸ケーブル
４４０  外部アンテナ側同軸コネクタ
【図１】
2008219437.tif 000003
【図２】
2008219437.tif 000004
【図３】
2008219437.tif 000005
【図４】
2008219437.tif 000006
【図５】
2008219437.tif 000007
【図６】
2008219437.tif 000008
【図７】
2008219437.tif 000009
【図８】
2008219437.tif 000010
【図９】
2008219437.tif 000011
【図１０】
2008219437.tif 000012
【図１１】
2008219437.tif 000013
【図１２】
2008219437.tif 000014
【図１３】
2008219437.tif 000015
【図１４】
2008219437.tif 000016
【図１５】
2008219437.tif 000017
【図１６】
2008219437.tif 000018
【図１７】
2008219437.tif 000019
【図１８】
2008219437.tif 000020
【図１９】
2008219437.tif 000021
【図２０】
2008219437.tif 000022